(57)【特許請求の範囲】
【請求項１】
パケット通信網を通信回線として用いるとともに、パケット通信網に接続されている通信管理端末が提供するサービスを利用可能な機能を備えた通信端末装置において、
上記通信管理端末との間で通信管理メッセージをやりとりするための通信管理メッセージ通信手段と、
上記通信管理端末に登録すべき各種情報を記憶した自端末情報テーブルと、
上記通信管理端末に登録した上記各種情報を記憶するための登録済自端末情報テーブルと、
起動時、上記自端末情報テーブルの内容と上記登録済自端末情報テーブルの内容を比較し、上記自端末情報テーブルの内容と上記登録済自端末情報テーブルの内容が異なっている場合には、上記自端末情報テーブルの内容を参照して所定の登録情報削除メッセージを上記通信管理端末へ送信して、当該通信管理端末における自端末に関する登録情報を削除させ、次いで、上記自端末情報テーブルの内容を参照して所定の情報登録メッセージを上記通信管理端末へ送信して、当該通信管理端末に対して自端末に関する登録情報を新たに登録させ、その後、上記自端末情報テーブルの内容を上記登録済自端末テーブルへ保存する制御手段を備えたことを特徴とする通信端末装置。
【請求項２】
ＴＴＣ標準ＪＴ−Ｈ３２３に準拠した通信機能を備え、パケット通信網を通信回線として用いるとともに、パケット通信網に接続されているゲートキーパー装置が提供するサービスを利用可能な機能を備えた通信端末装置において、
上記ゲートキーパー装置との間でＲＡＳメッセージをやりとりするためのＲＡＳ通信手段と、
上記ゲートキーパー装置に登録すべき各種情報を記憶した自端末情報テーブルと、
上記ゲートキーパー装置に登録した上記各種情報を記憶するための登録済自端末情報テーブルと、
起動時、上記自端末情報テーブルの内容と上記登録済自端末情報テーブルの内容を比較し、上記自端末情報テーブルの内容と上記登録済自端末情報テーブルの内容が異なっている場合には、上記自端末情報テーブルの内容を参照して所定のＵＲＱメッセージを上記ゲートキーパー装置へ送信して、当該ゲートキーパー装置における自端末に関する登録情報を削除させ、次いで、上記自端末情報テーブルの内容を参照して所定のＲＲＱメッセージを上記ゲートキーパー装置へ送信して、当該ゲートキーパー装置に対して自端末に関する登録情報を新たに登録させ、その後、上記自端末情報テーブルの内容を上記登録済自端末テーブルへ保存する制御手段を備えたことを特徴とする通信端末装置。
【請求項３】
前記各種情報には、呼シグナリングチャネルのポート番号情報が含まれることを特徴とする請求項２記載の通信端末装置。
【請求項４】
前記各種情報には、自端末に登録したまたは割り当てられたエイリアス情報が含まれることを特徴とする請求項２記載の通信端末装置。
【請求項５】
前記各種情報には、前記ゲートキーパー装置のＩＰアドレスが含まれることを特徴とする請求項２記載の通信端末装置。
【請求項６】
前記各種情報には、前記ゲートキーパー装置との間でＲＡＳメッセージをやりとりするためのＵＤＰポート番号が含まれることを特徴とする請求項２記載の通信端末装置。
【請求項７】
前記各種情報には、自端末に割り当てられたＩＰアドレスが含まれることを特徴とする請求項２記載の通信端末装置。
【請求項８】
パケット通信網を通信回線として用い、パケット通信網に接続されている通信管理端末が提供するサービスを利用可能な機能を備えた複数の通信端末装置と、上記通信管理端末から構成される通信システムにおいて、
上記通信端末装置は、上記通信管理端末との間で通信管理メッセージをやりとりするための通信管理メッセージ通信手段と、上記通信管理端末に登録すべき各種情報を記憶した自端末情報テーブルと、上記通信管理端末に登録した上記各種情報を記憶するための登録済自端末情報テーブルと、起動時、上記自端末情報テーブルの内容と上記登録済自端末情報テーブルの内容を比較し、上記自端末情報テーブルの内容と上記登録済自端末情報テーブルの内容が異なっている場合には、上記自端末情報テーブルの内容を参照して所定の登録情報削除メッセージを上記通信管理端末へ送信して、当該通信管理端末における自端末に関する登録情報を削除させ、次いで、上記自端末情報テーブルの内容を参照して所定の情報登録メッセージを上記通信管理端末へ送信して、当該通信管理端末に対して自端末に関する登録情報を新たに登録させ、その後、上記自端末情報テーブルの内容を上記登録済自端末テーブルへ保存する制御手段を備え、
上記通信管理端末は、上記通信端末装置より上記登録情報削除メッセージを受信すると、当該通信端末装置について記憶している登録情報を削除し、上記通信端末装置より上記情報登録メッセージを受信すると、その受信した情報登録メッセージの内容に基づいて、当該通信端末装置について、所定情報を登録する端末情報登録管理手段を備えたことを特徴とする通信システム。
【請求項９】
パケット通信網を通信回線として用い、パケット通信網に接続されている通信管理端末が提供するサービスを利用可能な機能を備えた複数の通信端末装置と、上記通信管理端末から構成される通信システムの通信管理方法において、
上記通信端末装置は、上記通信管理端末との間で通信管理メッセージをやりとりするための通信管理メッセージ通信手段と、上記通信管理端末に登録すべき各種情報を記憶した自端末情報テーブルと、上記通信管理端末に登録した上記各種情報を記憶するための登録済自端末情報テーブルを備え、起動時、上記自端末情報テーブルの内容と上記登録済自端末情報テーブルの内容を比較し、上記自端末情報テーブルの内容と上記登録済自端末情報テーブルの内容が異なっている場合には、上記自端末情報テーブルの内容を参照して所定の登録情報削除メッセージを上記通信管理端末へ送信して、当該通信管理端末における自端末に関する登録情報を削除させ、次いで、上記自端末情報テーブルの内容を参照して所定の情報登録メッセージを上記通信管理端末へ送信して、当該通信管理端末に対して自端末に関する登録情報を新たに登録させ、その後、上記自端末情報テーブルの内容を上記登録済自端末テーブルへ保存し、
上記通信管理端末は、上記通信端末装置より上記登録情報削除メッセージを受信すると、当該通信端末装置について記憶している登録情報を削除し、上記通信端末装置より上記情報登録メッセージを受信すると、その受信した情報登録メッセージの内容に基づいて、当該通信端末装置について、所定情報を登録するようにしたことを特徴とする通信管理方法。
【発明の詳細な説明】
【０００１】
【発明の属する技術分野】
本発明は、パケット通信網を通信回線として用いるとともに、パケット通信網に接続されている通信管理端末が提供するサービスを利用可能な機能を備えた通信端末装置、および、ＴＴＣ標準ＪＴ−Ｈ３２３に準拠した通信機能を備え、パケット通信網を通信回線として用いるとともに、パケット通信網に接続されているゲートキーパー装置が提供するサービスを利用可能な機能を備えた通信端末装置、および、パケット通信網を通信回線として用い、パケット通信網に接続されている通信管理端末が提供するサービスを利用可能な機能を備えた複数の通信端末装置と、上記通信管理端末から構成される通信システム、および、パケット通信網を通信回線として用い、パケット通信網に接続されている通信管理端末が提供するサービスを利用可能な機能を備えた複数の通信端末装置と、上記通信管理端末から構成される通信システムの通信管理方法に関する。
【０００２】
【従来の技術】
インターネットなどのパケット通信網を利用する通信システムとして、ＴＴＣ標準ＪＴ−Ｈ３２３に準拠した通信システムがある。
【０００３】
このＴＴＣ標準ＪＴ−Ｈ３２３では、必ずしもサービス品質を保証しないパケットネットワークにおけるマルチメディア通信システムの技術要求条件が対象とされている。
【０００４】
また、パケットネットワークとしては、ローカルエリアネットワーク、企業エリアネットワーク、メトロポリタンエリアネットワーク、イントラネット、インターネットを含む相互接続されたネットワークなどを対象としている。
【０００５】
さらに、ＧＳＴＮやＩＳＤＮ上のポイント・ポイント接続またはダイアルアップ接続によるＰＰＰ等のパケット型伝送も含まれる。
【０００６】
また、これらの網は単一のセグメントからなる場合や、複数の網セグメントが相互接続されたような複雑なトポロジーを持つ場合もある。
【０００７】
このＴＴＣ標準ＪＴ−Ｈ３２３の通信システムには、ネットワークに含まれる端末装置間の呼制御を、ゲートキーパー装置を適用して行うようにした態様が含まれている。
【０００８】
ここで、ゲートキーパー装置は、ネットワーク上にあって、パケットネットワーク上のＪＴ−Ｈ３２３端末および交換型回線網上のＴＴＣ端末間の、または他のＪＴ−Ｈ３２３ゲートウェイとの、リアルタイムの双方向通信を提供するエンドポイントと定義されている。また、他のＴＴＣ端末は、ＪＴ−Ｈ３１０（ＪＴ−Ｈ３２０のＢ−ＩＳＤＮへの適用）、 ＪＴ−Ｈ３２０（ＩＳＤＮ）、 ＪＴ−Ｈ３２１（ＡＴＭ）、 ＪＴ−Ｈ３２２（サービス品質（ＱｏＳ）保証型ＬＡＮ）、 ＪＴ−Ｈ３２４（ＧＳＴＮ）、 ＪＴ−Ｈ３２４Ｍ（移動体通信）、およびＩＴＵ−Ｔ勧告Ｖ．７０（ＤＳＶＤ）に従う端末を含むと定義されている。また、このような定義から、ＶｏＩＰ（Ｖｏｉｃｅ  ｏｖｅｒ  ＩＰ）電話端末もゲートキーパー装置の管理下に置かれる。
【０００９】
なお、ＪＴ−Ｈ３２３端末とは、ＴＴＣ標準ＪＴ−Ｈ３２３に準拠した通信機能を備えた通信端末である。また、本明細書中の記載において、ＴＴＣ標準番号、または、ＩＴＵ−Ｔ勧告番号が付与されて記載されている端末等は、それぞれのＴＴＣ標準またはＩＴＵ−Ｔ勧告に準拠した通信機能を備えた通信端末等を意味する。また、各勧告および標準の詳細については、それぞれの規格文献等を参照されたい。
【００１０】
【発明が解決しようとする課題】
通常、ゲートキーパー装置を利用するＪＴ−Ｈ３２３端末装置では、ゲートキーパー装置における呼制御等に必要な所定の各種情報を、ゲートキーパー装置へ登録している。また、通常、この登録動作は、ＪＴ−Ｈ３２３端末装置の電源投入後の起動時や、上記所定の各種情報が更新された際等に行われる。
【００１１】
ところで、ＪＴ−Ｈ３２３端末装置において、上記所定の各種情報が更新された後、当該更新された所定の各種情報の再登録（旧情報の削除後に登録される）が完了する前の時点で、ＪＴ−Ｈ３２３端末装置の電源がオフされると、次の電源投入後に行われる登録動作において、ゲートキーパー装置が登録を拒否する場合があり、かかる場合には、ゲートキーパー装置を利用した通信動作を行えなくなるという事態を生じていた。
【００１２】
本発明は、かかる実情に鑑みてなされたものであり、ゲートキーパー装置を利用した通信動作を適切に行うことができるようにした通信端末装置および通信システムおよび通信管理方法を提供することを目的としている。
【００１３】
【課題を解決するための手段】
本発明は、パケット通信網を通信回線として用いるとともに、パケット通信網に接続されている通信管理端末が提供するサービスを利用可能な機能を備えた通信端末装置において、上記通信管理端末との間で通信管理メッセージをやりとりするための通信管理メッセージ通信手段と、上記通信管理端末に登録すべき各種情報を記憶した自端末情報テーブルと、上記通信管理端末に登録した上記各種情報を記憶するための登録済自端末情報テーブルと、起動時、上記自端末情報テーブルの内容と上記登録済自端末情報テーブルの内容を比較し、上記自端末情報テーブルの内容と上記登録済自端末情報テーブルの内容が異なっている場合には、上記自端末情報テーブルの内容を参照して所定の登録情報削除メッセージを上記通信管理端末へ送信して、当該通信管理端末における自端末に関する登録情報を削除させ、次いで、上記自端末情報テーブルの内容を参照して所定の情報登録メッセージを上記通信管理端末へ送信して、当該通信管理端末に対して自端末に関する登録情報を新たに登録させ、その後、上記自端末情報テーブルの内容を上記登録済自端末テーブルへ保存する制御手段を備えたものである。
【００１４】
また、ＴＴＣ標準ＪＴ−Ｈ３２３に準拠した通信機能を備え、パケット通信網を通信回線として用いるとともに、パケット通信網に接続されているゲートキーパー装置が提供するサービスを利用可能な機能を備えた通信端末装置において、上記ゲートキーパー装置との間でＲＡＳメッセージをやりとりするためのＲＡＳ通信手段と、上記ゲートキーパー装置に登録すべき各種情報を記憶した自端末情報テーブルと、上記ゲートキーパー装置に登録した上記各種情報を記憶するための登録済自端末情報テーブルと、電源投入後の起動時、上記自端末情報テーブルの内容と上記登録済自端末情報テーブルの内容を比較し、上記自端末情報テーブルの内容と上記登録済自端末情報テーブルの内容が異なっている場合には、上記自端末情報テーブルの内容を参照して所定のＵＲＱメッセージを上記ゲートキーパー装置へ送信して、当該ゲートキーパー装置における自端末に関する登録情報を削除させ、次いで、上記自端末情報テーブルの内容を参照して所定のＲＲＱメッセージを上記ゲートキーパー装置へ送信して、当該ゲートキーパー装置に対して自端末に関する登録情報を新たに登録させ、その後、上記自端末情報テーブルの内容を上記登録済自端末テーブルへ保存する制御手段を備えたものである。
【００１５】
また、前記各種情報には、呼シグナリングチャネルのポート番号情報が含まれる。また、前記各種情報には、自端末に登録したまたは割り当てられたエイリアス情報が含まれる。また、前記各種情報には、前記ゲートキーパー装置のＩＰアドレスが含まれる。また、前記各種情報には、前記ゲートキーパー装置との間でＲＡＳメッセージをやりとりするためのＵＤＰポート番号が含まれる。また、前記各種情報には、自端末に割り当てられたＩＰアドレスが含まれる。
【００１６】
また、パケット通信網を通信回線として用い、パケット通信網に接続されている通信管理端末が提供するサービスを利用可能な機能を備えた複数の通信端末装置と、上記通信管理端末から構成される通信システムにおいて、上記通信端末装置は、上記通信管理端末との間で通信管理メッセージをやりとりするための通信管理メッセージ通信手段と、上記通信管理端末に登録すべき各種情報を記憶した自端末情報テーブルと、上記通信管理端末に登録した上記各種情報を記憶するための登録済自端末情報テーブルと、起動時、上記自端末情報テーブルの内容と上記登録済自端末情報テーブルの内容を比較し、上記自端末情報テーブルの内容と上記登録済自端末情報テーブルの内容が異なっている場合には、上記自端末情報テーブルの内容を参照して所定の登録情報削除メッセージを上記通信管理端末へ送信して、当該通信管理端末における自端末に関する登録情報を削除させ、次いで、上記自端末情報テーブルの内容を参照して所定の情報登録メッセージを上記通信管理端末へ送信して、当該通信管理端末に対して自端末に関する登録情報を新たに登録させ、その後、上記自端末情報テーブルの内容を上記登録済自端末テーブルへ保存する制御手段を備え、上記通信管理端末は、上記通信端末装置より上記登録情報削除メッセージを受信すると、当該通信端末装置について記憶している登録情報を削除し、上記通信端末装置より上記情報登録メッセージを受信すると、その受信した情報登録メッセージの内容に基づいて、当該通信端末装置について、所定情報を登録する端末情報登録管理手段を備えたものである。
【００１７】
また、パケット通信網を通信回線として用い、パケット通信網に接続されている通信管理端末が提供するサービスを利用可能な機能を備えた複数の通信端末装置と、上記通信管理端末から構成される通信システムの通信管理方法において、上記通信端末装置は、上記通信管理端末との間で通信管理メッセージをやりとりするための通信管理メッセージ通信手段と、上記通信管理端末に登録すべき各種情報を記憶した自端末情報テーブルと、上記通信管理端末に登録した上記各種情報を記憶するための登録済自端末情報テーブルを備え、起動時、上記自端末情報テーブルの内容と上記登録済自端末情報テーブルの内容を比較し、上記自端末情報テーブルの内容と上記登録済自端末情報テーブルの内容が異なっている場合には、上記自端末情報テーブルの内容を参照して所定の登録情報削除メッセージを上記通信管理端末へ送信して、当該通信管理端末における自端末に関する登録情報を削除させ、次いで、上記自端末情報テーブルの内容を参照して所定の情報登録メッセージを上記通信管理端末へ送信して、当該通信管理端末に対して自端末に関する登録情報を新たに登録させ、その後、上記自端末情報テーブルの内容を上記登録済自端末テーブルへ保存し、上記通信管理端末は、上記通信端末装置より上記登録情報削除メッセージを受信すると、当該通信端末装置について記憶している登録情報を削除し、上記通信端末装置より上記情報登録メッセージを受信すると、その受信した情報登録メッセージの内容に基づいて、当該通信端末装置について、所定情報を登録するようにしたものである。
【００１８】
【発明の実施の形態】
以下、添付図面を参照しながら、本発明の実施の形態を詳細に説明する。
【００１９】
図１は、本発明の一実施例にかかる通信システムの一例を示している。
【００２０】
まず、この通信システムは、ＴＴＣ標準ＪＴ−Ｈ３２３に準拠した通信システムであり、パケット通信網としてインターネットＩＮＥＴを利用していて、地域ＡＲａと地域ＡＲｂの２つの地域に設けられている各種端末装置からなる。
【００２１】
地域ＡＲａ，ＡＲｂにおいては、ＴＴＣ端末（いずれかのＴＴＣ標準に準拠した通信端末）としてグループ３ファクシミリ装置ＦＸａ，ＦＸｂ、ＪＴ−Ｈ３２３ゲートウェイとしてのゲートウェイ装置ＧＷａ，ＧＷｂ、複数のＪＴ−Ｈ３２３端末装置であるＴ．３８端末装置ＴＡ１〜ＴＡｎ，ＴＢ１〜ＴＢｎ、および、ゲートキーパー装置ＧＫａ，ＧＫｂが含まれている。
【００２２】
ここで、Ｔ．３８端末装置とは、ＩＴＵ−Ｔ勧告Ｔ．３８に準拠する端末装置であって、ＩＴＵ−Ｔ勧告Ｔ．３０端末装置（グループ３ファクシミリ装置）の通信を、パケット通信網を利用してリアルタイム的に実現できるようにしたものである。
【００２３】
また、Ｔ．３８端末装置の通信形態としては、パケット通信網を介して、Ｔ．３８端末装置間で直接通信する通信形態と、ゲートウェイ装置を介して、公衆網ＰＳＴＮに接続されているグループ３ファクシミリ装置と通信する通信形態の２つの通信形態が規定されている。
【００２４】
すなわち、この場合、ゲートウェイ装置ＧＷａ，ＧＷｂは、Ｔ．３８端末装置ＴＡ１〜ＴＡｎ，ＴＢ１〜ＴＢｎと、グループ３ファクシミリ装置ＦＸａ，ＦＸｂとの間の通信を実現するための機能を備える。
【００２５】
図２は、Ｔ．３８端末装置（ＴＡ１〜ＴＡｎ，ＴＢ１〜ＴＢｎ）の構成例を示している。
【００２６】
同図において、システム制御部１は、このＴ．３８端末装置の各部の制御処理、ファクシミリ伝送制御手順（ＩＴＵ−Ｔ勧告Ｔ．３０手順）処理、および、リアルタイム伝送制御手順（ＩＴＵ−Ｔ勧告Ｔ．３８手順）処理などの各種制御処理を行うものであり、システムメモリ２は、システム制御部１が実行する制御処理プログラム、および、処理プログラムを実行するときに必要な各種データなどを記憶するとともに、システム制御部１のワークエリアを構成するものであり、パラメータメモリ３は、このＴ．３８端末装置に固有な各種の情報を記憶するためのものであり、時計回路４は、現在時刻情報を出力するものである。
【００２７】
スキャナ５は、所定の解像度で原稿画像を読み取るためのものであり、プロッタ６は、所定の解像度で画像を記録出力するためのものであり、操作表示部７は、このファクシミリ装置を操作するためのもので、各種の操作キー、および、各種の表示器からなる。
【００２８】
符号化復号化部８は、画信号を符号化圧縮するとともに、符号化圧縮されている画情報を元の画信号に復号化するためのものであり、この場合には、画情報受信時のエラー検出を主目的として用いられる。また、画像蓄積装置９は、符号化圧縮された状態の画情報を多数記憶するためのものである。
【００２９】
網制御装置１０は、このＴ．３８端末装置を公衆電話網ＰＳＴＮに接続するためのものであり、自動発着信機能を備えている。
【００３０】
グループ３ファクシミリモデム１１は、グループ３ファクシミリのモデム機能を実現するためのものであり、伝送手順信号をやりとりするための低速モデム機能（Ｖ．２１モデム）、および、おもに画情報をやりとりするための高速モデム機能（Ｖ．１７モデム、Ｖ．３４モデム、Ｖ．２９モデム、Ｖ．２７ｔｅｒモデムなど）を備えている。
【００３１】
インターネット通信制御部１２は、このＴ．３８端末装置をインターネットＩＮＥＴへ接続し、インターネットＩＮＥＴを介して種々のデータをやりとりするためのものであり、ＴＣＰ／ＩＰパケット解析部１３は、ＴＣＰモード時に、インターネット通信制御部１２が受信したＴＣＰ／ＩＰパケットを解析して受信情報を取り出すためのものであり、ＵＤＰパケット解析部１４は、ＵＤＰモード時に、インターネット通信制御部１２が受信したＵＤＰパケットを解析して受信情報を取り出すためのものである。
【００３２】
グループ３プロトコル情報生成部１５は、リアルタイム伝送手順において、ＴＣＰモード時はＴＣＰ／ＩＰパケット解析部１３から出力される受信情報を対応するグループ３伝送手順信号情報に変換するとともに、ＵＤＰモード時はＵＤＰパケット解析部１４から出力される受信情報を対応するグループ３伝送手順信号情報に変換するものである。
【００３３】
グループ３プロトコル情報取出部１６は、リアルタイム伝送手順において、送信するグループ３ファクシミリ伝送手順情報を取り出すためのものであり、ＴＣＰ／ＩＰパケット変換部１７は、ＴＣＰモード時、グループ３プロトコル情報取出部１６から出力されるグループ３ファクシミリ伝送手順情報をＴＣＰ／ＩＰパケットデータへ変換するためのものであり、その出力データは、インターネット通信制御部１２へ加えられる。
【００３４】
また、ＵＤＰパケット変換部１８は、ＵＤＰモード時、グループ３プロトコル情報取出部１６から出力されるグループ３ファクシミリ伝送手順情報をＵＤＰパケットデータへ変換するためのものであり、その出力データは、インターネット通信制御部１２へ加えられる。
【００３５】
これらの、システム制御部１、システムメモリ２、パラメータメモリ３、時計回路４、スキャナ５、プロッタ６、操作表示部７、符号化復号化部８、画像蓄積装置９、網制御装置１０、グループ３ファクシミリモデム１１、グループ３プロトコル情報生成部１４、および、グループ３プロトコル情報取出部１５は、内部バス１７に接続されており、これらの各要素間でのデータのやりとりは、主としてこの内部バス１７を介して行われている。
【００３６】
また、網制御装置１０とグループ３ファクシミリモデム１１との間のデータのやりとりは、直接行なわれている。
【００３７】
図３は、Ｔ．３８端末装置間のデータ伝送手順の一例を示している。
【００３８】
まず、発側Ｔ．３８端末装置は、着側Ｔ．３８端末装置に対して呼制御用ＴＣＰチャネルを確立し、次いで、発側Ｔ．３８端末装置は、呼接続のためのパケットＳＥＴＵＰを着側Ｔ．３８端末装置へ送出する。
【００３９】
着側Ｔ．３８端末装置は、発側Ｔ．３８端末装置よりパケットＳＥＴＵＰを受信すると、パケットＣＯＮＮＥＣＴを発側Ｔ．３８端末装置へ応答し、それにより、発側Ｔ．３８端末装置と着側Ｔ．３８端末装置との間に呼が確立する。また、このパケットＳＥＴＵＰとパケットＣＯＮＮＥＣＴの交換により、使用するトランスポートのモード（ＴＣＰモードまたはＵＤＰモード）、および、使用するポート番号が設定される。
【００４０】
次いで、発側Ｔ．３８端末装置は、発側から着側へ向かうデータ用ＵＤＰチャネルを確立するとともに、着側Ｔ．３８端末装置は、着側から発側へ向かうデータ用ＵＤＰチャネルを確立する。そして、その後、発側Ｔ．３８端末装置と着側Ｔ．３８端末装置の間では、その確立した２本のデータ用ＵＤＰチャネルを用いて勧告Ｔ．３８手順に従ったＴ．３８セッションのデータのやりとりが開始され、画情報通信動作が実行される。
【００４１】
画情報通信が終了すると、発側Ｔ．３８端末装置は、パケットＲＥＬＥＡＳＥＣＯＭＰを着側Ｔ．３８端末装置へ送出し、それにより、発側Ｔ．３８端末装置と着側Ｔ．３８端末装置との間のデータ通信動作が終了する。
【００４２】
図４は、ゲートキーパー装置を用いて端末装置の呼制御を行う場合の手順の一例を示している（ＴＴＣ標準ＪＴ−Ｈ３２３の図１０を参照）。
【００４３】
まず、発側エンドポイント（発側端末装置）ＥＰｃは、ゲートキーパー装置（群）ＧＫｓに対して、呼接続要求（発呼）ＡＲＱを送出する。ゲートキーパー装置（群）ＧＫｓは、その呼接続要求（発呼）を受け付けることができる場合には、応答ＡＣＦを発側エンドポイントＥＰｃへ送出し、その呼接続要求（発呼）を受け付けることができない場合には、応答ＡＲＪを発側エンドポイントＥＰｃへ送出する。
【００４４】
発側エンドポイントＥＰｃは、ゲートキーパー装置（群）ＧＫｓより応答ＡＣＦを受信した場合には、通信目標である着側エンドポイントＥＰｄに対して、所定の呼設定信号を送出する。
【００４５】
着側エンドポイントＥＰｄは、呼設定信号を受信すると、ゲートキーパー装置（群）ＧＫｓに対して、呼接続要求（着呼）ＡＲＱを送出する。ゲートキーパー装置（群）ＧＫｓは、その呼接続要求（着呼）を受け付けることができる場合には、応答ＡＣＦを着側エンドポイントＥＰｄへ送出し、その呼接続要求（着呼）を受け付けることができない場合には、応答ＡＲＪを着側エンドポイントＥＰｄへ送出する。
【００４６】
着側エンドポイントＥＰｄは、ゲートキーパー装置（群）ＧＫｓより応答ＡＣＦを受信した場合には、発側エンドポイントＥＰｃに対して、所定の応答信号（肯定応答）を送出する。
【００４７】
これにより、発側エンドポイントＥＰｃと着側エンドポイントＥＰｄとの間に通信パスが設定され、発側エンドポイントＥＰｃと着側エンドポイントＥＰｄとの間の通信が行われる。
【００４８】
また、ゲートキーパー装置ＧＫを利用するエンドポイント（端末装置）は、自端末に関する所定の情報を、ゲートキーパー装置ＧＫに対して、事前に登録する必要がある。登録された情報は、一定期間、ゲートキーパー装置ＧＫに保持される。この登録動作は、通常、エンドポイントの起動時に行われるが、必要に応じて、あるいは、定期的に行うこともできる。
【００４９】
ここで、エンドポイントの起動時とは、エンドポイントの電源投入後の起動時、ソフトリセットまたはハードリセット後の起動時を指す。また、エンドポイントの登録された情報の設定変更時にも、この登録動作は行われる。
【００５０】
登録する情報としては、相手端末との間で呼制御手順を行う際に適用する呼制御ポート番号、自端末に登録されたエイリアス（別名）、自端末に設定されているＩＰアドレス等がある。
【００５１】
また、登録した情報を更新する際には、登録済の情報をゲートキーパー装置ＧＫより一旦削除し、その後に新たな（更新後の）情報を登録する必要がある。なお、登録内容が変更されない場合には、登録動作を繰り返し行うことで、自端末に関する登録内容を、ゲートキーパー装置ＧＫに維持させることができる。
【００５２】
図５（ａ）は、エンドポイントをゲートキーパー装置ＧＫへ登録する際に、エンドポイントとゲートキーパー装置ＧＫとの間で行われるＲＡＳ通信手順の一例を示している。このＲＡＳ通信手順は、ＲＡＳ（登録、承認、状態表示）チャネル（すなわち、ＵＤＰモード通信チャネル）を用いて行われる。
【００５３】
まず、エンドポイントは、ゲートキーパー装置ＧＫに対して、登録要求メッセージＲＲＱをＲＡＳチャネルを用いて送信する。ゲートキーパー装置ＧＫは、登録要求メッセージＲＲＱを受信すると、その内容が適正で登録可能な場合には、肯定的な応答として、応答ＲＣＦをエンドポイントへ送信する。また、ゲートキーパー装置ＧＫは、受信した登録要求メッセージＲＲＱの内容を登録する。
【００５４】
エンドポイントは、応答ＲＣＦをゲートキーパー装置ＧＫより受信すると、自端末がゲートキーパー装置ＧＫへ登録されたと認識し、このＲＡＳ通信を終了する。
【００５５】
また、ゲートキーパー装置ＧＫは、受信した登録要求メッセージＲＲＱの内容が適切でない場合、例えば、二重登録を誘引するような場合には、否定的な応答として応答ＲＲＪをエンドポイントへ送信する。
【００５６】
図５（ｂ）は、エンドポイントが、ゲートキーパー装置ＧＫへ登録した内容を削除する際に行うＲＡＳ通信手順の一例を示している。このＲＡＳ通信手順は、ＲＡＳチャネルを用いて行われる。
【００５７】
まず、エンドポイントは、ゲートキーパー装置ＧＫに対して、登録取消メッセージＵＲＱをＲＡＳチャネルを用いて送信する。ゲートキーパー装置ＧＫは、登録取消メッセージＵＲＱを受信すると、その内容が適正で登録可能な場合には、肯定的な応答として、応答ＵＣＦをエンドポイントへ送信する。また、ゲートキーパー装置ＧＫは、受信した登録取消メッセージＵＲＱの内容に対応した登録内容を取り消す。
【００５８】
エンドポイントは、応答ＵＣＦをゲートキーパー装置ＧＫより受信すると、自端末の登録が、ゲートキーパー装置ＧＫから削除されたと認識し、このＲＡＳ通信を終了する。
【００５９】
また、ゲートキーパー装置ＧＫは、受信した登録取消メッセージＵＲＱの内容が適切でない場合、例えば、該当する登録内容がない場合には、否定的な応答として応答ＵＲＪをエンドポイントへ送信する。
【００６０】
さて、本実施例では、エンドポイントとして機能するＴ．３８端末装置は、図６（ａ）に示すような自端末情報テーブルと、同図（ｂ）に示すような登録済自端末情報テーブルを記憶している。
【００６１】
自端末情報テーブルと登録済み自端末情報テーブルとは、同じ項目を備えている。これらのテーブルの項目は、呼制御ポート番号、エイリアス、ゲートキーパー装置ＧＫのＩＰアドレス、ＲＡＳチャネルとして用いるＵＤＰポート番号をあらわすＲＡＳポート番号、および、自端末ＩＰアドレスである。
【００６２】
また、自端末情報テーブルは、例えば、ユーザの操作により自端末への登録情報の内容が更新されると直ちにその内容が更新される。また、登録済み自端末情報テーブルは、自端末情報テーブルの要素のうち必要な内容がゲートキーパー装置ＧＫに登録された後、自端末情報テーブルの内容が複写されて形成される。
【００６３】
したがって、Ｔ．３８端末装置は、自端末情報テーブルと登録済み自端末情報テーブルとの内容を比較することで、現在自端末に設定されている登録情報と、ゲートキーパー装置ＧＫに登録されている登録情報の内容が一致しているか否かを判定することができる。
【００６４】
そして、本実施例では、電源投入後の起動時に、自端末情報テーブルの内容と登録済み自端末情報テーブルの内容を比較し、一致していないときには、ゲートキーパー装置ＧＫに対して登録取消動作を行った後に、登録動作を行うようにしている。これにより、自端末で使用する自端末情報テーブルとの内容と、ゲートキーパー装置ＧＫに登録した内容が常に一致し、それにより、Ｔ．３８端末装置が、ゲートキーパー装置ＧＫを適切に利用できるようにしている。
【００６５】
また、電源投入後の起動時に、自端末情報テーブルの内容と登録済み自端末情報テーブルの内容を比較し、一致しているときには通常の登録動作を行う。
【００６６】
図７は、ユーザの操作により自端末への登録情報の内容が更新され、自端末情報テーブルの内容が更新された場合にＴ．３８端末装置が行う処理の一例を示している。
【００６７】
設定変更がされると（判断１０１の結果がＹＥＳ）、登録済み自端末情報テーブルの内容に基づいて登録取消メッセージＲＲＱを作成し（処理１０２）、その作成した登録取消メッセージＲＲＱをゲートキーパー装置ＧＫへ送出する（処理１０３）。
【００６８】
そして、ゲートキーパー装置ＧＫより、応答メッセージを受信すると（処理１０４）、自端末情報テーブルの内容に基づいて登録要求メッセージＲＲＱを作成し（処理１０５）、その作成した登録取消メッセージＲＲＱをゲートキーパー装置ＧＫへ送出する（処理１０６）。
【００６９】
そして、ゲートキーパー装置ＧＫより応答メッセージを受信すると（処理１０７）、その受信した応答メッセージが応答ＲＣＦであったかどうかを調べる（判断１０８）。応答ＲＣＦを受信した場合で、判断１０８の結果がＹＥＳになるときには、登録済み自端末情報テーブルの内容を自端末情報テーブルの内容で更新し（処理１０９）、このときの動作を終了する。また、判断１０８の結果がＮＯになるときには、処理１０９を行わずこのときの動作を（エラー）終了する。
【００７０】
図８は、電源投入直後にＴ．３８端末装置が行う処理の一例を示している。なお、この処理は、起動時の初期化処理の一部として実行される。
【００７１】
まず、自端末情報テーブルの内容と登録済み自端末情報テーブルの内容とを比較し（処理２０１）、変更があったかどうかを調べる（判断２０２）。判断２０２の結果がＹＥＳになるときには、登録済み自端末情報テーブルの内容に基づいて登録取消メッセージＲＲＱを作成し（処理２０３）、その作成した登録取消メッセージＲＲＱをゲートキーパー装置ＧＫへ送出する（処理２０４）。
【００７２】
そして、ゲートキーパー装置ＧＫより、応答メッセージを受信すると（処理２０５）、自端末情報テーブルの内容に基づいて登録要求メッセージＲＲＱを作成し（処理２０６）、その作成した登録取消メッセージＲＲＱをゲートキーパー装置ＧＫへ送出する（処理２０７）。
【００７３】
そして、ゲートキーパー装置ＧＫより応答メッセージを受信すると（処理２０８）、その受信した応答メッセージが応答ＲＣＦであったかどうかを調べる（判断２０９）。応答ＲＣＦを受信した場合で、判断２０９の結果がＹＥＳになるときには、登録済み自端末情報テーブルの内容を自端末情報テーブルの内容で更新し（処理２１０）、このときの動作を終了する。また、判断２０９の結果がＮＯになるときには、処理２１０を行わずこのときの動作を（エラー）終了する。
【００７４】
一方、自端末情報テーブルの内容と登録済み自端末情報テーブルの内容に変更がなく、判断２０２の結果がＮＯになるときには、処理２０６へ進み、自端末情報テーブルの内容に基づいて作成した登録取消メッセージＲＲＱをゲートキーパー装置ＧＫへ送信する動作を行う。
【００７５】
ここで、上述の説明においては、電源投入後の起動時について説明しているが、ソフトリセットまたはハードリセット後のシステムの起動時についても、上述したと同様の動作が行われる。
【００７６】
なお、上述した実施例では、Ｔ．３８端末装置について本発明を適用したが、本発明は、他のＪＴ−Ｈ３２３端末装置についても同様にして適用することができる。
【００７７】
【発明の効果】
以上説明したように、本発明によれば、起動時に、自端末情報テーブルの内容と登録済み自端末情報テーブルの内容を比較し、一致していないときには、ゲートキーパー装置に対して登録取消動作を行った後に、登録動作を行うようにしているので、自端末で使用する自端末情報テーブルとの内容と、ゲートキーパー装置に登録した内容が常に一致し、それにより、通信端末装置が、ゲートキーパー装置を適切に利用できるという効果を得る。
【図面の簡単な説明】
【図１】本発明の一実施例にかかる通信システムの一例を示したブロック図。
【図２】Ｔ．３８端末装置（ＴＡ１〜ＴＡｎ，ＴＢ１〜ＴＢｎ）の構成例を示したブロック図。
【図３】Ｔ．３８端末装置間のデータ伝送手順の一例を示したタイムチャート。
【図４】ゲートキーパー装置を用いて端末装置の呼制御を行う場合の手順の一例を示したタイムチャート。
【図５】エンドポイントをゲートキーパー装置ＧＫへ登録する際に、エンドポイントとゲートキーパー装置ＧＫとの間で行われるＲＡＳ通信手順の一例、および、エンドポイントが、ゲートキーパー装置ＧＫへ登録した内容を削除する際に行うＲＡＳ通信手順の一例を示したタイムチャート。
【図６】自端末情報テーブルと登録済み自端末情報テーブルの一例を示した概略図。
【図７】ユーザの操作により自端末への登録情報の内容が更新され、自端末情報テーブルの内容が更新された場合にＴ．３８端末装置が行う処理の一例を示したフローチャート。
【図８】電源投入直後にＴ．３８端末装置が行う処理の一例を示したフローチャート。
【符号の説明】
ＧＫ  ゲートキーパー装置
ＴＡ１〜ＴＡｎ，ＴＢ１〜ＴＢｎ  Ｔ．３８端末装置
【図１】
0003848244.tif 000002
【図２】
0003848244.tif 000003
【図３】
0003848244.tif 000004
【図４】
0003848244.tif 000005
【図５】
0003848244.tif 000006
【図６】
0003848244.tif 000007
【図７】
0003848244.tif 000008
【図８】
0003848244.tif 000009